(57)【要約】【課題】構造を簡単にして、軽く、強度を大きく、取り扱い易くし、管と結合具、その結合具とシートとの結合、分離を簡単に自在に行えて、作業時間を短くでき、必要な結合強度を得易く、結合状態が安定して、その結合強度を保持し易くする。【解決手段】１本の線状体２を用い、その中央線部を円弧状に屈曲し、その両弧状端線部３を互いに交差して接触又は接近させて、中央輪部４を形成し、その中央輪部４に続く両側線部５の各基線部を半円弧状にし反対方向に夫々屈曲して、その開口部６同士が向き合う両側輪部７を夫々形成し、その両側輪部７に続く各先端線部を中央輪部４から離れる方向に屈曲し夫々突設させて、両側突部８を形成し、その屈曲した線状体にスプリング力を与えて、管とシートとの結合に用いる。【選択図】図１
2013108239.tif 000002
【特許請求の範囲】
【請求項１】
１本の線状体を用い、その線状体の中央線部を円弧状に屈曲し、その円弧状の両弧状端線部を互いに交差して接触又は接近させて、中央輪部を形成し、その中央輪部に続く両側線部の各基線部を半円弧状にし反対方向に夫々屈曲して、その両半円弧状の開口部同士が向き合う両側輪部を夫々形成し、その両側輪部に続く各先端線部を中央輪部から離れる方向に屈曲し夫々突設させて、両側突部を形成し、その屈曲した線状体にスプリング力を与えて、管とシートとの結合に用いることを特徴とする管・シート結合具。
【請求項２】
両側突部の各先端に球状体を夫々設けることを特徴とする請求項１記載の管・シート結合具。
【請求項３】
中央輪部を弧状線部が管の外側に嵌まる管巻回部として用い、両側の各輪部を弧状線部がシートの周縁部に設けた穴内を挿通して、その穴周縁部を保持するシート保持部として用いることを特徴とする請求項１又は２記載の管・シート結合具の使用方法。
【請求項４】
中央輪部を弧状線部が管の外側に嵌まる管巻回部として用いると共に、その中央輪部を弧状線部がシートの周縁部に設けた穴内を挿通して、その穴周縁部を保持するシート保持部として用い、両側の各輪部を弧状線部が互いに相手側の輪部内に嵌まる絡め部として用いることを特徴とする請求項１又は２記載の管・シート結合具の使用方法。
【発明の詳細な説明】
【技術分野】
【０００１】
本発明は、管にシートを取り付ける際に用いる結合具に関する。
【背景技術】
【０００２】
従来、建築現場等では、一般に単管を縦、横に配置し結合する等して、枠組構造を有する仮設の足場を組み立て、その足場に、作業中の人、物等の落下防止、風雨の吹き付けと濡れ防止、塗料、粉塵等の飛散防止等のため、足場の外側面等にシートを張設して、足場をシートで覆っている。その際、シートとして落下防止、飛散防止等のメッシュシート、防水布シート、ビニールシート等の各種シートを用いている。そして、シートを張設するため、足場の外側面等に臨む単管とシートとの結合に、シートの周縁部に設けられている鳩目穴等を利用し、通常は紐を用いて、その紐を穴に通して単管とシートとを結び付けている。なお、その他の管・シート結合具としてロープ、フック、スプリングを有するフック、閉塞部を有するフック等がある。
【特許文献１】特開２００５−３４９２５１
【特許文献２】特開平６−２７２３９６
【特許文献３】特開平６−１４６６１２
【発明の開示】
【発明が解決しようとする課題】
【０００３】
しかしながら、このような管・シート結合具として、紐、ロープ等を用いると、結びと解きに時間が掛かり、手袋を嵌めた状態では作業し難い。そこで、通常はそれらの作業を素手で行っている。しかも、紐、ロープ等を用いると、結合状態が安定せず、時間の経過と共に解け易く、必要な結合強度を保持し難い。その点、フック、スプリングを有するフック、閉塞部を有するフック等の管への固定部を有するフックを結合具として用いると、管に固定部を固定した後、フックの爪部をシートの鳩目穴に掛け又は外すことにより、フックとシートとの結合と分離を簡単に自在に行える。しかし、フックの爪部をシートの鳩目穴に掛けるだけでは、結合状態が不安定であり、強風雨が吹いたりすると外れ易い。しかも、管にフックの一部を単に固着して使用するものは、その後管から当然フックを分離できない。又、管とフックを分離できるものでも、管とフック、そのフックとシートとの結合、分離を共に、簡単に自在に行えるものではなく、作業時間を短くできないという問題がある。
【０００４】
本発明は、このような従来の問題点に着目してなされたものであり、構造を簡単にして、軽く、強度を大きく、取り扱い易くし、管と結合具、その結合具とシートとの結合、分離を共に、簡単に自在に行えて、作業時間を短くでき、必要な結合強度を得易く、結合状態が安定して、その結合強度を保持し易い管・シート結合具並びにその使用方法を提供することを目的とする。
【課題を解決するための手段】
【０００５】
上記目的を達成するために、本発明による管・シート結合具は、１本の線状体を用い、その線状体の中央線部を円弧状に屈曲し、その円弧状の両弧状端線部を互いに交差して接触又は接近させて、中央輪部を形成し、その中央輪部に続く両側線部の各基線部を半円弧状にし反対方向に夫々屈曲して、その両半円弧状の開口部同士が向き合う両側輪部を夫々形成し、その両側輪部に続く各先端線部を中央輪部から離れる方向に屈曲し夫々突設させて、両側突部を形成し、その屈曲した線状体にスプリング力を与えて、管とシートとの結合に用いる。そして、上記両側突部の各先端に球状体を夫々設けると好ましくなる。
【０００６】
又、本発明による管・シート結合具は使用方法として、上記中央輪部を弧状線部が管の外側に嵌まる管巻回部として用い、両側の各輪部を弧状線部がシートの周縁部に設けた穴内を挿通して、その穴周縁部を保持するシート保持部として用いる。
【０００７】
又、本発明による管・シート結合具は他の使用方法として、上記中央輪部を弧状線部が管の外側に嵌まる管巻回部として用いると共に、その中央輪部を弧状線部がシートの周縁部に設けた穴内を挿通して、その穴周縁部を保持するシート保持部として用い、両側の各輪部を弧状線部が互いに相手側の輪部内に嵌まる絡め部として用いる。
【発明の効果】
【０００８】
本発明による管・シート結合具は１本の線状体を用い、その線状体の中央線部を円弧状に屈曲し、その円弧状の両弧状端線部を互いに交差して接触又は接近させて、中央輪部を形成し、その中央輪部に続く両側線部の各基線部を半円弧状にし反対方向に夫々屈曲して、その両半円弧状の開口部同士が向き合う両側輪部を夫々形成し、その両側輪部に続く各先端線部を中央輪部から離れる方向に屈曲し夫々突設させて、両側突部を形成し、その屈曲した線状体にスプリング力を与えて、管とシートとの結合に用いることにより、管・シート結合具が１本の線状体からなり、その線状体の所定箇所を屈曲して、中央輪部、両側輪部、両側突部等を夫々形成し、その屈曲した線状体にスプリング力を与えたものであるため、管とシートの結合に用いると、構造が簡単で、軽く、強度が大きくて、取り扱い易くなる。
【０００９】
そして、この管・シート結合具は使用の際、両側突部を操作部とする。それ故、その両側突部を操作して線状体に変形を加えると、その変形に抗するスプリング力が働く。そこで、両側突部を近付け、更に同一方向に移動させて、両側突部の位置を反対にし、互いに離れるようにすると、中央輪部の径をスプリング力に抗して初期設定の径より順次大きくすることができる。しかも、両側突部の位置を反対にし離して行くと、中央輪部に両弧状端線部の交差箇所がなくなり、そこが内部に通じる開口部となって、その開口部を広く開くことができる。又、両側突部を上記移動方向と直角方向にスプリング力に抗して移動し、中央輪部の交差する両弧状端線部を離して行っても、内部に通じる開口部を形成することができる。但し、後者の場合、中央輪部の径を大きくすることはできない。
【００１０】
このようにして、管・シート結合具の両側突部を操作し、中央輪部に開口部を形成すると、その開口部を通じて中央輪部の内部に管を嵌めることができる。そこで、管を開口部から内部に入れた後、両側突部から力を抜く。すると、スプリング力により開口部が閉じ、中央輪部の弧状線部が管の外側に嵌まって、中央輪部が管巻回部になる。それ故、管に中央輪部を装着して、管と管・シート結合具とを結合できる。しかも、結合具の中央輪部に開口部を形成すると、シートの周縁部に設けた穴内に、両側突部のいずれか一方の先端を挿入できる。そして、結合具の線部がシートの穴挿通部になる。そこで、シートの穴の位置を一方の側輪部の弧状線部を経て、中央輪部の弧状線部に沿って任意の位置まで移動する。その際、シートの穴内を側輪部の弧状線部が通過できるようにするため、弧状線部の曲率をスプリング力に抗して小さくし、側輪部の開口部を少し大きくする。その後、両側突部に加える力を抜くと、中央輪部の開口部が閉じる。それ故、中央輪部にシートの穴周縁部を装着できて、その中央輪部がシートの穴周縁部を保持するシート保持部になって、結合具にシートを結合できる。しかも、このようにして、必要ならば結合具の中央輪部に複数枚のシートを装着し、保持させることができる。
【００１１】
しかし、このようなシートは管・シート結合具の中央輪部まで移動せず、当然両側の各側輪部に止めて夫々装着することができる。その際には、中央輪部に開口部を形成する必要がなく、各側輪部のみ、その開口部を夫々少し大きくし、シートを移動して、各側輪部の弧状線部の中央にシートの穴の位置を決める。その後、両側突部に加える力を抜いて、各側輪部の開口部の大きさを元に戻す。すると、両側の各輪部にシートの穴周縁部を夫々装着し、シートの穴周縁部を保持させることができる。それ故、管に結合した管・シート結合具の両側の各輪部にシートを１枚ずつ装着し、その結合具により管と２枚のシートとを結合できる。
【００１２】
しかも、このような管・シート結合具の両側輪部は、そこにシートの穴周縁部を夫々装着することなく、両側突部の位置を反対にして、両側輪部の弧状線部を互いに相手側の輪部内に嵌めることができる。すると、両側輪部を絡め部として用いることにより、管の外側に嵌まる中央輪部の弧状線部を強固に結合し、中央輪部の径を拡張して、その径を一定にして保持できる。それ故、管に結合具の中央輪部を強固に装着できる。なお、このようにして、管と結合した管・シート結合具からシートを分離し、更に管からその結合具を分離する場合には、両側突部を操作し、両側輪部が絡みあっている状態では、その状態をスプリング力に抗して解いた後、一方又は両方の側輪部と中央輪部の各開口部を広く開けることによって、シート、結合具の分離を簡単に自在に行える。
【００１３】
従って、このような管・シート結合具を用いると、管と結合具、その結合具とシートとの結合、分離を共に、簡単に自在に行えて、作業時間を短くでき、必要な結合強度を得易く、結合状態が安定して、その結合強度を保持し易くなる。
【００１４】
そして、両側突部の各先端に球状体を夫々設けると、球状体は安全で操作し易いため、その両球状体を一方の手で操作し、又は各球状体毎に別々の手で操作して、その両球状体を介して両側突部を操作することにより、簡単に両側輪部、中央輪部等を自在に変形できる。それ故、操作性が一層向上し、取り扱い易くなり、管と結合具、その結合具とシートとの結合・分離を共に、一層簡単に自在に行えて、作業時間を短くできる。
【００１５】
又、このような管・シート結合具は使用時に、中央輪部を弧状線部が管の外側に嵌まる管巻回部として用い、その両側輪部を弧状線部がシートの周縁部に設けた穴内を挿通して、その穴周縁部を保持するシート保持部として用いることにより、管・シート結合具の中央輪部が嵌まる管を中心にして、その管と結合する結合具により２枚のシートを連結して、その２枚のシートが同一面となるように良好につなぎ易くなる。
【００１６】
又、管・シート結合具は使用時に、中央輪部を弧状線部が管の外側に嵌まる管巻回部として用いると共に、その中央輪部を弧状線部がシートの周縁部に設けた穴内を挿通して、その穴周縁部を保持するシート保持部として用い、両側輪部を弧状線部が互いに他方の輪部内に嵌まる絡め部として用いることにより、管に管・シート結合具の中央輪部を嵌めて装着すると共に、その中央輪部にシートの周縁部に設けた穴周縁部を装着し、更にその両側輪部を絡めると、中央輪部の弧状線部を強固に結合し、中央輪部の径を拡張して、その径を一定にして保持できる。それ故、管に結合する管・シート結合具の中央輪部に、１枚又は複数枚の同一又は異なるシートを装着して、管と１枚又は複数枚のシートとを結合できる。従って、管に結合する管・シート結合具により、２枚のシートを連結して、２枚のシートが同一面となるように良好につなぎ易くなるばかりでなく、複数枚のシートを重ね合わせて設置できる等、好都合となる。
【発明を実施するための最良の形態】
【００１７】
以下、添付の図１〜４を参照して、本発明の実施の最良形態を説明する。
図１は本発明を適用した仮設足場用管・シート結合具の正面図、図２はその左側面である。この管・シート結合具１は製作時、１本の線状体として例えば金属線を用いる。特に、ピアノ線が適している。そこで、仮設足場の組み立てに用いる単管の外径が４８ｍｍの場合、例えば太さが１．５ｍｍで長さが２２３ｍｍのピアノ線を線状体として採用する。そして、その線状体２の中央線部を単管の外径に対応する径の大きな円弧状に屈曲し、その円弧状の両弧状端線部３（３ａ、３ｂ）を互いに交差して接触又は接近させて、中央輪部４を形成する。その際、中央輪部４の内径を単管の外径にほぼ等しく、例えば若干大きくして５０ｍｍにする。
【００１８】
又、その中央輪部４に続く両側線部５（５ａ、５ｂ）の各基線部を径の小さな半円弧状にし、反対方向に夫々屈曲して、その両半円弧状の開口部６（６ａ、６ｂ）同士が向き合う両側輪部７（７ａ、７ｂ）を夫々形成する。その際、両側の各輪部７の内径を例えば４．４ｍｍにし、その各輪部７の弧状線部の長さを半円より若干長くして、両側の各開口部６の間隔を側輪部７の内径より小さく例えば３．５ｍｍにする。そして、両側輪部７の各軸を中央輪部４の軸とほぼ平行に夫々配置し、その両側輪部７の軸間距離を例えば２３．６ｍｍにする。
【００１９】
又、その両側輪部７に続く各先端線部をいずれも、例えば２箇所の屈曲箇所を夫々半径１．５ｍｍの弧状にしてＬ字状に夫々屈曲し、その各先端側を中央輪部４の軸から離れる垂直方向に夫々突出させて、両側突部８を形成する。その際、その両側突部８の先端間の距離を例えば８ｍｍにし、両側輪部７の各軸と垂直方向の長さを例えば７ｍｍにする。
【００２０】
このようにして、１本の所定の長さを有する線状体２を屈曲して、中央輪部４、両側輪部７、両側突部８を夫々形成した後、焼入れ焼き戻しして、その屈曲した線状体にスプリング力を与える。すると、このスプリング力を有し、中央輪部４、両側輪部７、両側突部８を設けた屈曲した線状体は、構造が簡単であり、軽く、強度が大きくて、取り扱い易くなる。
【００２１】
そこで、この屈曲した線状体を管・シート結合具１として用い、その両側突部８を使用の際に操作部とする。すると、その両側突部８を操作して変形を加えた時、その変形力が各部４、７、８に伝わり、その変形力に抗するスプリング力が発生する。そこで、更に両側突部８の操作性を良くするため、その両側突部８の各先端に球状体９（９ａ、９ｂ）を夫々設ける。その際、球状体９として金属球、プラスチック球等、種々の材質のものを使用できるが、例えば径８ｍｍの金属製ボールベアリングを用いる。そして、各球状体９の一部に深さが例えば４ｍｍの穴を設け、その各穴に両側突部８の先端側を嵌め、接着剤を用いて夫々固着する。なお、接着剤として市販されている例えば高性能エポキシ系強力接着剤であるアラルダイト（商標名、製造元ハンツマン・ジャパン株式会社）が適する。
【００２２】
このようにして、両側突部８の各先端に球状体９を夫々設けると、球状体９は安全で操作し易いため、その両球状体９を一方の手で操作し、又は各球状体９毎に別々の手で操作して、その両球状体９を介して両側突部８を操作し、簡単に両側輪部７、中央輪部４等を自在に変形できる。それ故、操作性が一層向上し、取り扱い易くなり、球状体９を設置しない場合と比べて、管と管・シート結合具１、その結合具１とシートとの結合、分離を共に、一層簡単に自在に行えて、作業時間を短くできる。
【００２３】
使用時には、両側突部８を両側から中央輪部４の軸と垂直の方向に移動して近づけ、更に同一方向に移動させて両側突部８の位置を反対にし、互いに離れるようにする。すると、中央輪部４の径を、スプリング力に抗して初期設定した径より順次大きくすることができる。しかも、両側突部８の位置を反対にし、離して行くと、両側輪部４の両弧状端線部３が交差する箇所がなくなり、そこが中央輪部４の内部に通じる開口部になって、その開口部を広く開くことができる。又、両側突部８を中央輪部４の軸方向にスプリング力に抗して移動し、中央輪部４の交差する両弧状端線部３を離しても、内部に通じる開口部を広く形成できる。但し、後者の場合、中央輪部４の径を大きくすることはできない。そこで、通常は両側突部８の位置を中央輪部４の軸と垂直の方向に大きく、軸方向に小さく、適宜移動させて開口部を広く形成する。
【００２４】
このようにして、管・シート結合具１の両側突部８を両球状体９に力を加えて夫々操作し、中央輪部４に開口部を形成すると、その開口部を通じて、中央輪部４の内部に管を嵌めることができる。そこで、図３に示すように仮設足場の組み立てに用いた、例えば縦に配置した単管１０に管・シート結合具１を結合し、更にその結合具１にシート１１（１１ａ、１１ｂ）を夫々結合する場合、先ず結合具１の両球状体９により両側突部８を操作して、中央輪部４の開口部を広く開く。そして、縦管１０に対し、シート１１を止める位置を選んで、中央輪部４の開口部から管１０が内部に入るように位置決めし、中央輪部４を取り付けた後、両球状体９から力を抜く。すると、スプリング力により開口部が閉じ、中央輪部４の弧状線部が管１０の外側に嵌まって、中央輪部４が管巻回部になる。それ故、管１０に中央輪部４を装着して、管・シート結合具１を結合できる。
【００２５】
次に、管１０に結合した管・シート結合具１の両側の各輪部７に、シート１１を夫々装着する。なお、一般に使用するシート１１は通常矩形状であって、その周縁部に沿って止め穴１２が多数分散配置されており、各止め穴１２にはその穴周縁部を補強する鳩目１３が取り付けられている。そこで、通常両側の各輪部７毎にシート１１の装着を行うため、先ず両球状体９の間隔を広げて、一方の側輪部７ａに対応する球状体９ａへ一方のシート１１ａに設けた鳩目穴１２を嵌める。そして、側輪部７ａの開口部６ａを少し大きくし、シート１１ａを移動して穴１２の位置を、側輪部７ａを形成する弧状線部のほぼ中央に決める。その後、球状体９ａから側突部８ａに加える力を抜いて、開口部６ａの大きさを元に戻す。すると、側輪部７ａを形成する半円弧の径より開口部６ａの間隔が小さいので、側輪部７ａの内部にシート１１ａの穴周縁部を形成する鳩目１３の輪の一部等が嵌まり、その輪部等を内部に収容して良く固定できる。他方の側輪部７ｂについても、同様にして他方のシート１１ｂに設けた鳩目穴１２を嵌め、側輪部７ｂの内部に鳩目１３の輪の一部等を収容して良く固定できる。
【００２６】
すると、管・シート結合具１の中央輪部４が装着する管１０を中心にして、両側の各輪部７にシート１１の周縁部に設けた穴周縁部を夫々装着し、その各輪部７を弧状線部がシート１１の周縁部に設けた鳩目穴１２の内部に挿通して、その穴周縁部を保持するシート保持部として用いることができる。それ故、管１０に結合する管・シート結合具１にて、管１０と２枚のシート１１との必要な結合強度を得易く、結合状態が安定して、その結合強度を保持し易い。しかも、その結合具１にて２枚のシート１１を連結して、２枚のシートが同一面となるように良好につなぎ易くなる。
【００２７】
又、図４に示すように管１０に管・シート結合具１を結合し、更にその結合具１に１枚のシート１１を結合する場合、先ず同様にして、両球状体９に力を加えて両側突部８を操作し、中央輪部４を広く開く。すると、管１０に対し、やはりシート１１を止める位置を選んで、中央輪部４の開口部から管１０が内部に入るように位置決めできる。そこで、管１０に中央輪部４を装着して、その中央輪部４の内部に管１０を嵌まるようにする。又、中央輪部４の開口部を広く開けると、その中央輪部４の弧状線部にシート１１を１枚又は複数枚装着できる。そこで、管１０に中央輪部４を装着して、その中央輪部４の内部に管１０を嵌めた後、１枚のシート１１を装着する場合、両球状体９のいずれか一方、例えば球状体９ｂをそのシート１１の周縁部に設けた鳩目穴１２に挿入する。すると、結合具１の球状体９ｂに連なる線部が穴挿通部になる。
【００２８】
そこで、シート１１の鳩目穴１２の位置を側突部８ｂ、側輪部７ｂを経て、中央輪部４の弧状線部に沿って任意の位置まで移動する。その際、シート１１の鳩目穴１２の内部を側輪部７ｂの弧状線部が通過できるようにするため、その弧状線部の曲率をスプリング力に抗して小さくし、側輪部７ｂの開口部６ｂを少し大きくする。その後、両球状体９に加える力を抜くと、中央輪部４の開口部が閉じ、管１０に中央輪部４を装着できると同時に、その中央輪部４にシート１１の穴周縁部を装着できる。それ故、管・シート結合具１の中央輪部４を弧状線部がシート１１の周縁部に設けた鳩目穴１２の内部を挿通して、その穴周縁部を保持するシート保持部として用いることになり、管１０にシート１１を１枚結合できる。又、同様にして、管１０に結合する管・シート結合具１の中央輪部４に複数枚のシートを装着することにより、管１０に複数枚のシートを結合できる。
【００２９】
そして、このような管・シート結合具１の両側輪部７には、そこにシート１１の穴周縁部を夫々装着することなく、両側突部７の位置を反対にして、両側輪部７の弧状線部を互いに相手側の輪部７の内部に嵌めることができる。すると、両側輪部７の弧状線部を絡め部として用い、管１０の外側に嵌まる中央輪部４の弧状線部３を強固に結合し、中央輪部４の径を拡張して、その径を一定にして保持できる。それ故、管１０に結合具１の中央輪部４を強固に装着し、更にその中央輪部４に１枚又は複数枚の同一又は異なるシート１１を装着して、管１０と１枚又は複数枚のシート１１とを結合できる。そして、管１０に結合した結合具１により、２枚のシート１１を連結して、２枚のシートが同一面となるように良好につなぎ易くなるばかりでなく、複数枚のシート１１を重ね合わせて設置できる等、好都合となる。
【００３０】
従って、管・シート結合具１を用いると、仮設足場の縦、横等に配置されている単管等に対し、同一又は異なるシート１１を同一面となるようにつなげて設置し、又は重ね合わせて設置すること等により、足場の外側面等にシート１１を良好に張設して、足場をシート１１で覆うことができる。そして、仮設足場からシート１１を外す場合には、単管１０と結合した管・シート結合具１から先ずシート１１を分離し、更に単管１０から結合具１を分離するため、両球状体９に力を加えて両側突部８を夫々操作する。しかも、両側突部８が絡み合っている場合には、その状態をスプリング力に抗して解いた後、更に両側突部８を操作して、一方又は両方の側輪部７と中央輪部４の各開口部６等を広く開ける。すると、単管１０からシート１１、結合具１の分離を簡単に自在に行える。なお、このような管・シート結合具は仮設足場への使用に適しているが、当然各種の管とシートとを結合する他の分野にも適用することができる。
【図面の簡単な説明】
【００３１】
【図１】本発明を適用した仮設足場用管・シート結合具の正面図である。
【図２】同仮設足場用管・シート結合具の左側面図である。
【図３】同仮設足場用管・シート結合具の使用状態を示す説明図である。
【図４】同仮設足場用管・シート結合具の他の使用状態を示す説明図である。
【符号の説明】
【００３２】
１…管・シート結合具  ２…線状体  ３…弧状端線部  ４…中央輪部  ５…側線部  ６…開口部  ７…側輪部  ８…側突部  ９…球状体  １０…管  １１…シート  １２…穴  １３…鳩目
【図１】
2013108239.tif 000003
【図２】
2013108239.tif 000004
【図３】
2013108239.tif 000005
【図４】
2013108239.tif 000006